(57)【要約】【課題】光コネクタのフェルールの先端に光アイソレータを付設する場合は光アイソレータの汎用性を確保できない。インライン型の光アイソレータの場合も、その光アイソレータを簡単に着脱できず、使い勝手が悪く汎用性に欠ける。【解決手段】プラグ型光アイソレータ１は、光コネクタ２とアダプタ３の間に装着して使用されるが、アダプタに接続可能なファイバ心線１１ａ付きの第１キャピラリ１１と、第１キャピラリ１１と直列状に配設され光コネクタ２を接続した状態では光コネクタ２に光結合されるファイバ心線１２ａ付きの第２キャピラリ１２と、第１，第２キャピラリの間に介装された光アイソレータ機構１３と、第１，第２キャピラリと光アイソレータ機構を軸心方向相対移動不能に保持する保持機構１４と、第１，第２キャピラリと光アイソレータ機構と保持機構を収容するハウジング１０などを備えている。【選択図】  図１
2005241672.tif 000002
【特許請求の範囲】
【請求項１】
光コネクタとアダプタの間に着脱可能に装着した状態で使用されるプラグ型光アイソレータであって、
前記アダプタのフェルール挿入孔に挿入可能なファイバ心線付きの第１キャピラリと、  前記第１キャピラリと直列状に光結合可能に配設され、光コネクタとの結合状態では光コネクタ側フェルールのファイバ心線に光結合されるファイバ心線付きの第２キャピラリと、
前記第１，第２キャピラリの間に介装された光アイソレータ機構と、
前記第１，第２キャピラリと光アイソレータ機構を軸心方向相対移動不能に保持する保持機構と、
前記第１，第２キャピラリと光アイソレータ機構と保持機構を収容するハウジングと、  を備えたことを特徴とするプラグ型光アイソレータ。
【請求項２】
前記保持機構は、第１キャピラリの端部に外嵌されて第１キャピラリを軸心直交方向に位置決めする第１ホルダと、第２キャピラリに外嵌されて第２キャピラリを軸心直交方向に位置決めする第２ホルダとを備えたことを特徴とする請求項１に記載のプラグ型光アイソレータ。
【請求項３】
前記第２ホルダは、光コネクタのフェルールを挿入可能な挿入孔を有することを特徴とする請求項２に記載のプラグ型光アイソレータ。
【請求項４】
前記保持機構は、第１，第２ホルダの間において光アイソレータ機構の外周側に装着された磁石ホルダと、この磁石ホルダに装着された永久磁石を有することを特徴とする請求項２に記載のプラグ型光アイソレータ。
【請求項５】
前記第１ホルダは第１キャピラリの軸心に対して偏心した軸心を有し、第１キャピラリに対して相対的に第１ホルダを回動可能であることを特徴とする請求項２〜４の何れかに記載のプラグ型光アイソレータ。
【発明の詳細な説明】
【技術分野】
【０００１】
本発明は、プラグ型光アイソレータに関し、特に光コネクタとアダプタ間に着脱可能に装着されるプラグ型光アイソレータに関する。
【背景技術】
【０００２】
最近の光通信では、ＩＰ電話、ＦＴＴＨにおいて波長分割多重伝送方式（ＷＤＭ）が広く普及しつつあり、ＮＴＴのＢフレッツなどのブロードバンド通信においては、１３１０ｎｍ、１５５０ｎｍなどの波長の光によるＰＯＮ−Ｓｙｓｔｅｍが適用されつつある。
将来の光通信では、映像信号を高速で送信して、鮮明な画像の送信が要求される。
しかし、光信号の伝送系には、光信号の減衰、曲がり、劣化による戻り光が発生し、ノイズとなる。
【０００３】
光通信用のレーザ光は半導体レーザ（ＬＤモジュール）より生成されるが、ＬＤモジュールの出力部には戻り光がＬＤモジュールへ逆流してノイズを発生させるのを防止する為の、偏波依存型光アイソレータが組み込まれる。他方、ＥＤＦＡなどの光増幅器の両端には、発振や雑音の発生を抑制する為の偏波無依存型光アイソレータが組み込まれる。
【０００４】
偏波依存型光アイソレータは、偏光子とファラデー回転子と検光子などで構成され、偏光板子や検光子としては偏光ガラスなどが採用される。偏波無依存型光アイソレータは、複屈折くさび板とファラデー回転子と複屈折くさび板などで構成される。また、別の偏波無依存型光アイソレータは、複屈折板とファラデー回転子と波長板と複屈折板などで構成される。通常、前記のファラデー回転子としては鉄ガーネットが採用されるが、鉄ガーネットに予め飽和磁界を付与した自己バイアス型のファラデー回転子と、鉄ガーネットの外周側に永久磁石を配置する自己バイアス型でないファラデー回転子とがある。また、複屈折くさび板や複屈折板にはルチル結晶が採用される。
【０００５】
特許文献１には、光コネクタのフェルールの先端部に、ファラデー回転子の両側に複屈折くさび板を設けた偏波無依存型光アイソレータを組み込んだ光コネクタが開示されている。特許文献２には、スリーブの軸孔に偏波無依存型光アイソレータと、この光アイソレータの両側に配置した１対のグレーテッドインデックスファイバ素線とを組み込んだ光ファイバスプライスが開示されている。
【０００６】
【特許文献１】特開平１０−２０６６７２号公報
【特許文献２】特開２０００−１３１０６６号公報
【発明の開示】
【発明が解決しようとする課題】
【０００７】
特許文献１の光コネクタにおいては、光コネクタのフェルールの先端に光アイソレータを組み込む構造であるが、この構造では光アイソレータが光ファイバに１対１の関係で結合されてしまうので、光ファイバまたは光信号に応じて光アイソレータを適宜着脱する自由度に欠け、光アイソレータ使用の面における汎用性に欠ける。
【０００８】
特許文献２の光ファイバスプライスの両側に光コネクタを夫々接続して、光コネクタのフェルールのファイバ心線同士を光アイソレータを介して光結合することができる。しかし、その光ファイバスプライスに光コネクタのフェルールを挿入して接続する場合に、そのフェルールを光ファイバスプライスの軸孔に挿入して接着する等の作業が必要であり、光アイソレータの装着が面倒であり、一旦接続後には簡単には離脱することができないなど、使用上種々不便であり、汎用性に欠ける。
【０００９】
ＬＤモジュールに組み込まれる光アイソレータなどでは、光アイソレータの機能も決まっており着脱する必要もないが、光アイソレータを必要に応じて適宜組み込んで使用したいような場合には、適宜着脱可能なプラグ型の光アイソレータが望ましいが、そのような光アイソレータは何ら提案されていないのが実情である。
本発明の目的は、光コネクタとアダプタの間に着脱可能に装着して使用できるプラグ型光アイソレータを提供すること、汎用性に優れるプラグ型光アイソレータを提供することなどである。
【課題を解決するための手段】
【００１０】
請求項１のプラグ型光アイソレータは、光コネクタとアダプタの間に着脱可能に装着した状態で使用されるプラグ型光アイソレータであって、前記アダプタのフェルール挿入孔に挿入可能なファイバ心線付きの第１キャピラリと、前記第１キャピラリと直列状に光結合可能に配設され、光コネクタとの結合状態では光コネクタ側フェルールのファイバ心線に光結合されるファイバ心線付きの第２キャピラリと、前記第１，第２キャピラリの間に介装された光アイソレータ機構と、前記第１，第２キャピラリと光アイソレータ機構を軸心方向相対移動不能に保持する保持機構と、前記第１，第２キャピラリと光アイソレータ機構と保持機構を収容するハウジングとを備えたことを特徴とするものである。
【００１１】
第１キャピラリをアダプタのフェルール挿入孔に挿入し、光コネクタを結合した状態では、光コネクタのファイバ心線が第２キャピラリのファイバ心線に光結合され、第１，第２キャピラリのファイバ心線は光アイソレータ機構を介して光結合され、第１キャピラリのファイバ心線がアダプタ側のフェルールのファイバ心線に光結合される。光アイソレータ機構により、戻り光の逆流が抑制される。
【００１２】
光アイソレータ機構は偏波依存型の光アイソレータでもよく、偏波無依存型の光アイソレータでもよく、光アイソレータ機構の順方向は、第２キャピラリから第１キャピラリに向う方向でもよく、第１キャピラリから第２キャピラリに向う方向でもよい。
【００１３】
請求項２のプラグ型光アイソレータは、請求項１の発明において、前記保持機構は、第１キャピラリの端部に外嵌されて第１キャピラリを軸心直交方向に位置決めする第１ホルダと、第２キャピラリに外嵌されて第２キャピラリを軸心直交方向に位置決めする第２ホルダとを備えたことを特徴とする。第１ホルダを介して第１キャピラリを軸心方向に位置決めし、第２ホルダを介して第２キャピラリを軸心方向に位置決めすることができる。
【００１４】
請求項３のプラグ型光アイソレータは、請求項２の発明において、前記第２ホルダは、光コネクタのフェルールを挿入可能な挿入孔を有することを特徴とする。そのため、光コネクタのフェルールを挿入孔に挿入すれば、光コネクタの軸心と第２キャピラリの軸心を合致させることができ、光コネクタのフェルールのファイバ心線を第２キャピラリのファイバ心線に光結合することができる。
【００１５】
請求項４のプラグ型光アイソレータは、請求項２の発明において、前記保持機構は、第１，第２ホルダの間において光アイソレータ機構の外周側に装着された磁石ホルダと、この磁石ホルダに装着されたほぼ環状の永久磁石を有することを特徴とする。
光アイソレータ機構のファラデー回転子が自己バイアス型のファラデー回転子でない場合に、上記の磁石ホルダと永久磁石とが活用される。
【００１６】
請求項５のプラグ光アイソレータは、請求項２〜４の何れかの発明において、前記第１ホルダは第１キャピラリの軸心に対して偏心した軸心を有し、第１キャピラリに対して相対的に第１ホルダを回動可能であることを特徴とする。そのため、第１キャピラリに対して相対的に第１ホルダを回動させることにより、第１キャピラリのファイバ心線を軸心直交方向へ位置調節することができる。
【発明の効果】
【００１７】
請求項１のプラグ型光アイソレータによれば、光コネクタとアダプタの間に着脱可能に装着して使用できるので、必要に応じて適宜選択的に使用することができるので、汎用性に優れる。光アイソレータ機構は第１，第２キャピラリの間に介装され、これらは保持機構により軸心方向相対移動不能に保持されるので、プラグ型光アイソレータを無理なく一定の状態で使用でき、その性能を確保することができる。
【００１８】
請求項２のプラグ型光アイソレータによれば、前記保持機構が、第１キャピラリの端部に外嵌されて第１キャピラリを軸心直交方向に位置決めする第１ホルダと、第２キャピラリに外嵌されて第２キャピラリを軸心直交方向に位置決めする第２ホルダとを有するため、第１ホルダを介して第１キャピラリを軸心方向に位置決めし、第２ホルダを介して第２キャピラリを軸心方向に位置決めすることができる。
【００１９】
請求項３のプラグ型光アイソレータによれば、前記第２ホルダは、光コネクタのフェルールを挿入可能な挿入孔を有するため、光コネクタのフェルールを挿入孔に挿入すれば、光コネクタの軸心と第２キャピラリの軸心を合致させることができ、光コネクタのフェルールのファイバ心線を第２キャピラリのファイバ心線に光結合することができる。
【００２０】
請求項４のプラグ型光アイソレータによれば、前記保持機構が、第１，第２ホルダの間において光アイソレータ機構の外周側に装着された磁石ホルダと、この磁石ホルダに装着された永久磁石を有するため、自己バイアス型のファラデー回転子でないファラデー回転子を適用可能となる。
【００２１】
請求項５のプラグ光アイソレータによれば、前記第１ホルダは第１キャピラリの軸心に対して偏心した軸心を有し、第１キャピラリに対して相対的に第１ホルダを回動可能であるので、第１キャピラリに対して相対的に第１ホルダを回動させることにより、第１キャピラリのファイバ心線を軸心直交方向へ位置調節することができる。
【発明を実施するための最良の形態】
【００２２】
本発明に係るプラグ型光アイソレータは、光コネクタとアダプタの間に着脱可能に装着した状態で使用されるプラグ型光アイソレータであり、このプラグ型光アイソレータは、偏波依存性のものでもよく、偏波無依存性のものでもよいが、基本的に、ファイバ心線付きの第１キャピラリと、ファイバ心線付きの第２キャピラリと、第１，第２キャピラリの間に介装された光アイソレータ機構と、第１，第２キャピラリと光アイソレータ機構を軸心方向相対移動不能に保持する保持機構と、第１，第２キャピラリと光アイソレータ機構と保持機構を収容するハウジングとを備えている。
【実施例１】
【００２３】
以下、本発明の実施例について図面に基づいて説明する。
図１〜図６に示すように、プラグ型光アイソレータ１は、光コネクタ２とアダプタ３の間に着脱可能に装着した状態で使用されるプラグ型光アイソレータである。
このプラグ型光アイソレータ１は、基本的に、第１キャピラリ１１、第２キャピラリ１２、第１，第２キャピラリ１１，１２の間に介装された光アイソレータ機構１３、第１，第２キャピラリ１１，１２と光アイソレータ機構１３を軸心方向相対移動不能に保持する保持機構１４、第１，第２キャピラリ１１，１２と光アイソレータ機構１３と保持機構１４を収容する合成樹脂製のハウジング１０などを備えている。
【００２４】
第１キャピラリ１１は、ハウジング１０の左端側部分の内部に配置されて保持機構１４により保持されている。この第１キャピラリ１１は例えばジルコニア製であり、光アイソレータ機構１３に接する第１キャピラリ１１の先端部（右端部）は部分球面状に形成され、第１キャピラリ１１の左端部は小径の平坦面に形成されている。
【００２５】
第１キャピラリ１１の軸心部にはファイバ心線１１ａが組み込まれており、この第１キャピラリ１１は、アダプタ３のフェルール挿入孔２０に挿入可能であり、アダプタ３のフェルール挿入孔２０に挿入された状態では、そのファイバ心線がアダプタの左半部分に装着された図示外の光コネクタのファイバ心線に光結合され、ハウジング１０の内部ハウジング１０ａがアダプタ３の係止爪２１で係止される。但し、図１に示すアダプタ３は、その両側に光コネクタ２を装着する形式のものであるが、発光デバイスや受光デバイスに固定されたアダプタ（レセプタクルとも言う）の場合には、それに接続された光アイソレータ１が発光デバイスや受光デバイスに光結合される。
【００２６】
第２キャピラリ１２は、ハウジング１０の中央部分の内部に第１キャピラリと直列状に光結合可能に配置されて保持機構１４により保持されている。この第２キャピラリ１２は例えばジルコニア製であり、光アイソレータ機構１３に接する先端部（左端部）は部分球面に形成され、右端部は小径の平面状に形成されている。第２キャピラリ１２の軸心部にはファイバ心線１２ａが組み込まれており、光コネクタ２との結合状態では光コネクタ２のフェルール２２のファイバ心線２２ａに光結合される。光コネクタ２のフェルール２２をフェルール挿入孔１８に挿入して接続した状態では光コネクタ２の内部ハウジング２３が割りスリーブ１９の係止爪１９ａにより係止される。第１，第２キャピラリ１１，１２の間には後述する光アイソレータ機構１３が介装されている。
【００２７】
保持機構１４は、第１，第２キャピラリ１１，１２と光アイソレータ機構１３を軸心方向と軸心直交方向に相対移動不能に保持するものであり、ハウジング１０は、第１，第２キャピラリ１１，１２と光アイソレータ機構１３と保持機構１４を収容するものである。この保持機構１４は、第１ホルダ１５と、第２ホルダ１７と、磁石ホルダ１６と、永久磁石１６ａと、割りスリーブ１８などで構成されている。ハウジング１０はハウジング本体に固着された内部ハウジング１０ａを有する。合成樹脂製の割りスリーブ１９はハウジング１０内にはめ込んで固定され、割りスリーブ１９の右端部分には右端に開放状の軸心方向向きの１対のスリットが形成されている。
【００２８】
第１ホルダ１５は、例えばステンレス製のもので、第１キャピラリ１１の右端部分に回転摺動可能に密着状に外嵌され、この第１ホルダ１５により第１キャピラリ１１が軸心直交方向に位置決めされる。図３に示すように、第１ホルダ１５は第１キャピラリ１１が密着状に且つ摺動可能に挿通するキャピラリ挿通孔１５ａを有し、第１ホルダ１５は内部ハウジング１０ａの装着孔に密着状に且つ回動可能に内嵌されている。第１ホルダ１５の軸心は、第１キャピラリ１１の軸心（つまり、キャピラリ挿通孔１５ａの軸心）に対して約２，３μｍ偏心しているので、第１ホルダ１５を第１キャピラリ１１に対して相対的に回動させることにより、第１キャピラリ１１の軸心の位置を上下左右に微調節可能である。
【００２９】
組立て時に、第１キャピラリ１１のファイバ心線１１ａと第２キャピラリ１２のファイバ心線１２ａの光結合が最適となるように、第１キャピラリ１１の軸心の位置を微調節してから、第１ホルダ１５は内部ハウジング１０ａに接着にて固着され、第１キャピラリ１１が第１ホルダ１５に接着にて固着される。
【００３０】
第２ホルダ１７は例えばステンレス製のもので、この第２ホルダ１７は第２キャピラリ１２の左端部分に外嵌される大径部１７ａとこの大径部１７ａから右方へ延びて割りスリーブ１９に内嵌された小径部１７ｂとを有する。前記の大径部１７ａは内部ハウジング１０ａの装着孔に密着状に内嵌されてハウジング１０に対して軸心方向と心軸心直交方向の位置が決められている。この第２ホルダ１７に第２キャピラリ１２を密着状に内嵌して接着することで第２キャピラリ１２が軸心方向と軸心直交方向に位置決めされている。
【００３１】
前記の小径部１７ｂは割りスリーブ１９に密着状に内嵌されている。第２ホルダ１７には、第２キャピラリ１２と光コネクタ２のフェルール２２とが密着状に挿入される挿入孔が形成されている。前記挿入孔のうちの右端側約１／３部分は光コネクタ２のフェルール２２が挿入されるフェルール挿入孔１８であり、このフェルール挿入孔１８に光コネクタ２のフェルール２２を接続した状態において、第２ホルダ１７により光コネクタ２のフェルール２２のファイバ心線２２ａと第２キャピラリ１２のファイバ心線１２ａとが同心状に位置決めされて光結合される。
【００３２】
磁石ホルダ１６と永久磁石１６ａは、保持機構１４と光アイソレータ機構１３の両方に属するものである。合成樹脂製の磁石ホルダ１６は内部ハウジング１０ａの装着孔に密着状に内嵌され、磁石ホルダ１６の内周面は第１，第２キャピラリ１１，１２の外周面から離隔している。この磁石ホルダ１６には、後述のようにファラデー回転子に作用させる軸心方向向きの磁界を発生させるリング状の永久磁石１６ａが組み込まれている。
【００３３】
図２に示すように、光アイソレータ機構１３は、偏光依存性のないアイソレータであり、ルチル結晶からなる１対の薄い複屈折楔板１３ａ，１３ｃの間に薄い鉄ガーネット板である自己バイアス型でないファラデー回転子１３ｂを挟着してそれらを光透過性のある接着剤で接着したものである。光コネクタ２のファイバ心線２２ａから伝送される光信号が第２キャピラリ１２のファイバ心線１２ａに伝送されて、図２の矢印Ａ，Ｂの方向へ光信号が伝送されるものとする。
【００３４】
右側の複屈折楔板１３ａの光軸方向は例えば鉛直方向であるすると左側の複屈折楔板１３ｃの光軸方向は鉛直方向から光の進行方向に向って時計回りに４５度回転した方向である。永久磁石１６ａにより光の進行方向と同方向の磁界が発生する。この光アイソレータ機構１３は周知の機構であり、矢印Ａ，Ｂの方向へ進行する光は透過するものの、矢印Ａ，Ｂの方向と反対方向へ向う反射光は光アイソレータ機構１３により遮断される。光アイソレータ機構１３は第１，第２キャピラリ１１，１２の先端に密着して両キャピラリ１１，１２のファイバ心線１１ａ，１２ａに光結合される。
【００３５】
以上のプラグ型光アイソレータ１の作用、効果について説明する。
このプラグ型光アイソレータ１の第１キャピラリ１１をアダプタ３のファイバ挿入孔２０に挿入して光アイソレータ１をアダプタ３に接続し、光コネクタ２のフェルール２２をフェルール挿入孔１８に挿入して光コネクタ２を接続した状態にすると、光コネクタ２のファイバ心線２２ａと第２キャピラリ１２のファイバ心線１２ａとが光結合し、第１，第２キャピラリ１１，１２のファイバ心線１１ａ，１２ａが光アイソレータ機構１３に光結合され、光コネクタ２側から伝送される光信号が、ファイバ心線１２ａと光アイソレータ機構１３とファイバ心線１１ａを通過し、アダプタ３の左半部に接続された光コネクタ（図示略）のファイバ心線に伝送されるが、光アイソレータ機構１３の戻り光阻止機能により反射光の逆流が阻止され、反射光が第２キャピラリ１２のファイバ心線１２ａへ戻るのが抑制される。
【００３６】
このプラグ型光アイソレータ１は、光コネクタ２とアダプタ３の間に着脱可能に装着して使用できるため必要に応じて適宜選択的に光アイソレータ１を使用することができるので、汎用性に優れる。光アイソレータ機構１３は保持機構１４に軸心方向相対移動不能に保持された第１，第２キャピラリ１１，１２の間に介装されるので、プラグ型光アイソレータ１を無理なく一定の状態で使用でき、その性能を確保することができる。また、第１キャピラリ１１の右端部と第２キャピラリ１２の左端部が部分球面状に形成されているため、第１，第２キャピラリ１１，１２のファイバ心線１１ａ，１２ａと光アイソレータ機構１３を光結合する性能を高めることができる。
【００３７】
保持機構１４の第１ホルダ１５の軸心と第１キャピラリ１１の軸心とが偏心しており、第１キャピラリ１１に対して第１ホルダ１５を回動させることで、第１キャピラリ１１のファイバ心線１１ａの軸心直交方向位置を簡単に微調節することができるので、第１，第２キャピラリ１１，１２のファイバ心線１１ａ，１２ａと光アイソレータ機構１３の光結合の結合性能を簡単に高めることができる。
【００３８】
第２ホルダ１７に形成した挿入孔に、第２キャピラリ１２と光コネクタ２のフェルール２２を挿入して光結合する構成であるので、フェルール２２をフェルール挿入孔１８に挿入すれば、光コネクタ２の軸心と第２キャピラリ１２の軸心を合致させることができ、光コネクタ２のフェルール２２のファイバ心線２２ａを第２キャピラリ１２のファイバ心線１２ａに光結合することができる。
【００３９】
保持機構１４が、第１，第２ホルダ１５，１７の間において光アイソレータ機構１３の外周側に装着された磁石ホルダ１６と、この磁石ホルダ１６に装着された永久磁石１６ａを有するため、自己バイアス型のファラデー回転子でないファラデー回転子を適用することができる。尚、ハウジング１０の突起10ｂは、アダプタ３のハウジングのスリットに係合して回転規制するものである。
【００４０】
次に、前記実施例を部分的に変更する例について説明する。
１）前記光アイソレータ機構１３の代わりに、図７に示すような光アイソレータ機構１３Ａを採用してもよい。この偏光依存型の光アイソレータ機構１３Ａは、薄いガラス製の偏光板１３ｄと、前記実施例と同様のファラデー回転子１３ｂと、検光子としての薄いガラス製の偏光板１３ｅとで構成されている。偏光板１３ｄの透過軸方向に対して偏光板１３ｅの透過軸方向は光の進行方向に向って４５度時計回り方向へずらしてある。
【００４１】
２）前記光アイソレータ機構１３の代わりに、図８に示すような光アイソレータ機構１３Ｂを採用してもよい。この偏光無依存型の光アイソレータ機構１３Ｂは、ルチル結晶などの光透過性の複屈折材料からなる薄い複屈折板１３ｆと、前記実施例と同様のファラデー回転子１３ｂと、ガラス製のλ／２板１３ｇと、前記複屈折板１３ｆと同様の検光子としての薄い複屈折板１３ｈとで構成されている。
【００４２】
この光アイソレータ機構１３Ｂの場合、第２キャピラリ１２のファイバ心線１２ａと第１キャピラリ１１のファイバ心線１１ａとを軸心直交方向に微小距離離隔させる必要があるが、プラグ型光アイソレータ１の組み立て段階において、第１ホルダ１５を回動させることにより第１キャピラリ１１のファイバ心線１１ａの軸心直交方向の位置を微調節して簡単に最適位置に設定することができる。
【００４３】
３）前記光アイソレータ機構１３，１３Ａ，１３Ｂでは、自己バイアス型でないファラデー回転子１３ｂを採用したので、磁石ホルダ１６と永久磁石１６ａを採用したが、自己バイアス型のファラデー回転子を採用する場合には、永久磁石１６ａは省略できる。
【００４４】
４）前記光アイソレータ機構として前記以外の公知の種々のものを適用することできる。また、光アイソレータ機構の順方向は、前記の矢印Ａ，Ｂの方向に限定されるものではなく、矢印Ａ，Ｂと反対方向向きとなる場合もある。即ち、発光デバイスに装備したアダプタに装着するプラグ型光アイソレータは、発光デバイスから出力される光信号の進行方向を順方向とする。その他、このプラグ型光アイソレータは、光増幅デバイスの両端側に装備される場合もあり、光アイソレータ機構の順方向は適宜設定されることになる。
その他、当業者ならば本発明の趣旨を逸脱することなく、前記実施例に種々の変更を付加した形態で本発明を実施可能であり、本発明はそれらの変更形態をも包含する。
【図面の簡単な説明】
【００４５】
【図１】プラグ型光アイソレータと光コネクタとアダプタの横断断面図である。
【図２】光アイソレータ機構とその周辺部の拡大図である。
【図３】第１キャピラリと第１ホルダと内部ハウジングの拡大断面図である。
【図４】プラグ型光アイソレータの縦断断面図である。
【図５】プラグ型光アイソレータの平面図である。
【図６】プラグ型光アイソレータの側面図である。
【図７】変更形態に係る光アイソレータ機構とその周辺部の拡大図である。
【図８】別の変更形態に係る光アイソレータ機構とその周辺部の拡大図である。
【符号の説明】
【００４６】
１          プラグ型光アイソレータ
２          光コネクタ
３          アダプタ
１０        ハウジング
１１          第１キャピラリ
１１ａ        ファイバ心線
１２          第２キャピラリ
１２ａ        ファイバ心線
１３，１３Ａ，１３Ｂ      光アイソレータ機構
１４          保持機構
１５          第１ホルダ
１６          磁石ホルダ
１６ａ        永久磁石
１７          第２ホルダ
１８          フェルール挿入孔
【図１】
2005241672.tif 000003
【図２】
2005241672.tif 000004
【図３】
2005241672.tif 000005
【図４】
2005241672.tif 000006
【図５】
2005241672.tif 000007
【図６】
2005241672.tif 000008
【図７】
2005241672.tif 000009
【図８】
2005241672.tif 000010